(57)【要約】【課題】機器側の筐体形状に関係なく、また、コネクタの寸法に関係なく汎用的に使用でき、かつ、確実にプラグを機器に固定できるようにする。【解決手段】細長い板状の基部１１と、基部１１の一端に設けられた係合壁部１２と、反対側の他端に設けられた固定部１３とを備え、係合壁部１２は、基部１１の一端より起立されていてケーブルを通す開口部１４とこの開口部１４にケーブルを挿入するスリット１５とからなる掛止部１６を有し、固定部１３は、折り曲げることによって係合壁部１２からの長さを調整することができる複数条の折り溝１７を有している。このコネクタ抜脱防止装置は、係合壁部１２の開口部１４にケーブルを通し、かつ、係合壁部１２を機器側に寄せた状態で、固定部１３の折り溝１７を折り曲げ、折り曲げた折り溝１７より先端側の固定部１３を機器に貼着することによって装着される。【選択図】図１
2012119068.tif 000002
【特許請求の範囲】
【請求項１】
基部と、係合壁部と、固定部とを備えるコネクタ抜脱防止装置であって、
前記基部は、前記係合壁部と前記固定部とを連結し、
前記係合壁部は、前記基部の一端より起立されていて前記基部に近接配置されたコネクタの前記一端側への移動を規制するとともにケーブルを引っ掛ける掛止部が設けられ、
前記固定部は、前記基部の前記係合壁部が設けられている側とは反対側の他端より延出されていてその延出方向に対して直角方向に延びる折り溝が前記延出方向に沿って複数条形成されている、
ことを特徴とするコネクタ抜脱防止装置。
【請求項２】
前記折り溝は、前記固定部の両面に形成されていることを特徴とする請求項１記載のコネクタ抜脱防止装置。
【請求項３】
前記折り溝は、前記固定部の両面にてそれぞれ対応する位置に形成されていることを特徴とする請求項２記載のコネクタ抜脱防止装置。
【請求項４】
前記固定部は、隣接する前記折り溝の間が平面になっていることを特徴とする請求項２記載のコネクタ抜脱防止装置。
【請求項５】
前記折り溝は、前記固定部を波形の形状にすることによって形成されていることを特徴とする請求項２記載のコネクタ抜脱防止装置。
【請求項６】
前記固定部は、その両側部に相補形の外形を有する凹凸部が前記延出方向に沿って交互に形成された蛇行形状を有していることを特徴とする請求項２記載のコネクタ抜脱防止装置。
【請求項７】
前記固定部は、ねじ止め用の長孔が穿設されていることを特徴とする請求項２記載のコネクタ抜脱防止装置。
【請求項８】
前記固定部は、粘着材が塗布または両面接着テープが貼着されていることを特徴とする請求項２記載のコネクタ抜脱防止装置。
【請求項９】
前記掛止部は、前記係合壁部の略中央に開けられてケーブルを通す開口部と、前記係合壁部の周辺からケーブルを前記開口部に導くスリットとを有していることを特徴とする請求項１記載のコネクタ抜脱防止装置。
【請求項１０】
前記掛止部は、前記スリットの幅が部分的に前記開口部の直径より小さくしてあることを特徴とする請求項９記載のコネクタ抜脱防止装置。
【請求項１１】
前記掛止部は、前記係合壁部の幅方向に複数有していることを特徴とする請求項１０記載のコネクタ抜脱防止装置。
【請求項１２】
前記基部は、その両側端より起立され、先端部の対向面側には突起部が突設され、間の空間に設置したコネクタを拘束状態にする拘止部を備えていることを特徴とする請求項９記載のコネクタ抜脱防止装置。
【請求項１３】
前記掛止部は、前記スリットの幅を前記開口部の直径に等しくしてあることを特徴とする請求項１２記載のコネクタ抜脱防止装置。
【発明の詳細な説明】
【技術分野】
【０００１】
本発明はコネクタ抜脱防止装置に関し、特に電気機器のソケット、レセプタクル、ジャックなどのプラグ受けに差し込んだロック機構を有しない差込プラグが容易に抜き外れないようにするコネクタ抜脱防止装置に関する。
【背景技術】
【０００２】
パーソナルコンピュータなどの電気機器には、多くの挿抜自在なコネクタが設けられている。たとえば、電源コードのプラグが差し込まれるインレット、キーボードなどが接続されるＰＳ／２コネクタ、表示装置が接続されるＨＤＭＩ（High-Definition Multimedia Interface）コネクタ、周辺機器が接続されるＵＳＢ（Universal Serial Bus）コネクタなどが知られている。これらは、たとえば表示装置が接続されるＤＶＩ（Digital Visual Interface）コネクタやＬＡＮ（Local Area Network）ケーブルが接続されるモジュラージャックと違って、ロック機構を備えていない。このため、ケーブルに何らかの力が加わったときに容易に抜脱してしまうことがある。コネクタの種類によっては、その抜脱後に、再度、コネクタを差し込むことで機器が接続を認識し、機器の継続利用が可能になるものもある。しかし、機器によっては、コネクタが接続されていることを前提に動作しているものもあり、このような機器でのコネクタの抜脱は、機器の継続的な運用上、致命的な不具合となる。
【０００３】
このようなロック機構を備えていないコネクタに対し、その抜脱が起きないようにコネクタを固定しておく抜脱防止具が提案されている。たとえば、面ファスナを使ってプラグを機器の筐体などに固定したり（たとえば、特許文献１参照）、コネクタを収容して機器の筐体に係止したり（たとえば、特許文献２参照）することで、コネクタの抜脱を防止している。しかし、これらの抜脱防止具は、容易に取り外すことができるので、さらに、安全を期して、プラグを固定する固定金具を使用し、その固定金具を筐体にねじ止めなどにより強固に固定することも行われている。
【先行技術文献】
【特許文献】
【０００４】
【特許文献１】特開２００４−２５３１６４号公報
【特許文献２】特開２０１０−１１４００６号公報
【発明の概要】
【発明が解決しようとする課題】
【０００５】
しかしながら、ねじ止めなどによる固定金具は、取り付ける機器の筐体形状に合わせてその機器専用に作られるため、機器ごとに設計し直す必要があり、また、筐体側の加工も必要なことから、コストが高くなるという問題点があった。また、コネクタも、機械的・電気的に結合される嵌合部は、規定の寸法を有しているが、それ以外の把持部およびストレインリリーフについては、長さ方向の寸法に規定がないので、使用するケーブルのコネクタの寸法に合わせて固定金具を設計する必要があった。
【０００６】
本発明はこのような点に鑑みてなされたものであり、機器側の筐体形状に関係なく、また、コネクタの寸法に関係なく汎用的に使用でき、かつ、確実にプラグを機器に固定することができるコネクタ抜脱防止装置を提供することを目的とする。
【課題を解決するための手段】
【０００７】
本発明では上記の課題を解決するために、基部と、係合壁部と、固定部とを備えるコネクタ抜脱防止装置であって、前記基部は、前記係合壁部と前記固定部とを連結し、前記係合壁部は、前記基部の一端より起立されていて前記基部に近接配置されたコネクタの前記一端側への移動を規制するとともにケーブルを引っ掛ける掛止部が設けられ、前記固定部は、前記基部の前記係合壁部が設けられている側とは反対側の他端より延出されていてその延出方向に対して直角方向に延びる折り溝が前記延出方向に沿って複数条形成されている、ことを特徴とするコネクタ抜脱防止装置が提供される。
【０００８】
このようなコネクタ抜脱防止装置によれば、係合壁部がケーブルを引っ掛けることでコネクタの抜脱方向の移動を規制し、固定部がコネクタの寸法に応じた位置の折り溝で折り曲げられ、機器に固定される。これにより、機器のコネクタに挿入されたコネクタは、一端が機器に固定されたコネクタ抜脱防止装置の他端でケーブルを引っ掛けることにより、確実に抜脱が防止される。
【発明の効果】
【０００９】
上記構成のコネクタ抜脱防止装置は、機器に固定する固定部が複数条の折り溝を有する形状に構成されていることにより、コネクタの寸法に応じた任意の位置で固定部を折り曲げて固定できるので、コネクタの大きさの違いを吸収できるという利点がある。
【００１０】
また、固定部は、任意の位置で自由に屈曲できる蛇腹形状のため、機器側の固定面の形状に依存することなく固定できることから、種々の形状を有する機器に対して汎用的に適用できるという利点がある。
【００１１】
さらに、コネクタ抜脱防止装置の固定部を機器に固定する手段として、粘着材などにより貼着する手段を利用できるので、機器側の加工を必要としないことから、適用する機器側のコストを低減することができるという利点がある。
【図面の簡単な説明】
【００１２】
【図１】第１の実施の形態に係るコネクタ抜脱防止装置を示す図であって、（Ａ）はコネクタ抜脱防止装置の斜視図およびその側端面の形状を示す部分拡大図、（Ｂ）は（Ａ）のコネクタ抜脱防止装置を反対側から見た斜視図である。
【図２】第１の実施の形態に係るコネクタ抜脱防止装置の装着形態を示す斜視図である。
【図３】第２の実施の形態に係るコネクタ抜脱防止装置の装着形態を示す斜視図である。
【図４】第３の実施の形態に係るコネクタ抜脱防止装置を示す斜視図およびその側端面の形状を示す部分拡大図である。
【図５】第４の実施の形態に係るコネクタ抜脱防止装置を示す斜視図およびその側端面の形状を示す部分拡大図である。
【図６】第５の実施の形態に係るコネクタ抜脱防止装置を示す斜視図である。
【図７】第６の実施の形態に係るコネクタ抜脱防止装置を示す斜視図である。
【図８】第７の実施の形態に係るコネクタ抜脱防止装置の装着形態を示す斜視図である。
【図９】第８の実施の形態に係るコネクタ抜脱防止装置を示す斜視図である。
【図１０】第８の実施の形態に係るコネクタ抜脱防止装置の装着形態を示す斜視図である。
【図１１】第８の実施の形態に係るコネクタ抜脱防止装置の別の装着形態を示す斜視図である。
【発明を実施するための形態】
【００１３】
以下、本発明の実施の形態について、ＵＳＢコネクタの抜脱防止に適用した場合を例に図面を参照して詳細に説明する。
図１は第１の実施の形態に係るコネクタ抜脱防止装置を示す図であって、（Ａ）はコネクタ抜脱防止装置の斜視図およびその側端面の形状を示す部分拡大図、（Ｂ）は（Ａ）のコネクタ抜脱防止装置を反対側から見た斜視図、図２は第１の実施の形態に係るコネクタ抜脱防止装置の装着形態を示す斜視図である。
【００１４】
第１の実施の形態に係るコネクタ抜脱防止装置は、図１に示したように、細長い板状の基部１１と、この基部１１の長手方向の一端に設けられた係合壁部１２と、基部１１の長手方向の他端に設けられた固定部１３とを備えている。係合壁部１２および固定部１３とこれらを連結する基部１１とは、樹脂によって一体に成形されるか、金属板をプレス成形することによって形成される。
【００１５】
係合壁部１２は、ケーブルを引っ掛けるとともにコネクタが抜脱方向へ移動するのを規制するもので、基部１１の一端より起立された壁を有し、その壁の略中央には、ケーブルを通す開口部１４が開けられている。この開口部１４は、壁の周辺、図示の例では壁の先端部からスリット１５によって繋げられており、このスリット１５とともに掛止部１６を構成している。スリット１５は、また、その幅が部分的に開口部１４の直径より小さくしてある。これにより、ケーブルは、この狭くなっているスリット１５を最外層のシースが弾性変形して通過し、開口部１４に収容されているときは変形部分が復元して開口部１４から容易に脱落することができなくなっている。なお、スリット１５は、本実施の形態では、壁の先端部と開口部１４との間に形成しているが、壁の側端部から基部１１の面と平行な方向に延びるように設けてもよい。
【００１６】
固定部１３は、掛止部１６によってケーブルを掛止した状態でこのコネクタ抜脱防止装置を機器に固定する部分であり、機器への固定は、表面に塗布された粘着材または表面に貼着された両面接着テープによって行われる。この固定部１３は、これが固定される機器の固定面から係合壁部１２までの距離がコネクタの寸法に合わせて自由に調整できるように基部１１から延出される方向の任意の位置で折り曲げできるように蛇腹形状にしてある。すなわち、固定部１３は、基部１１からの延出方向に対して直角方向に延びる折り溝１７が延出方向に沿って複数条形成されている。この折り溝１７は、図１の（Ａ）および（Ｂ）に示したように、固定部１３が係合壁部１２の形成側およびその反対側のいずれの方向にも曲げることができるように固定部１３の両面に形成されている。また、固定部１３の両面に設けられる折り溝１７は、固定部１３の両面にてそれぞれ対応する位置に形成されており、これにより、それぞれ対応する折り溝１７の間の厚さが薄くなって折り曲げが容易にできるようになっている。さらに、この固定部１３は、隣接する折り溝１７の間の外表面が平面１８になっていて、粘着材または両面接着テープが接着できる面積を確保している。
【００１７】
以上の構成のコネクタ抜脱防止装置は、図２に示したように、機器１およびこれに取り付けられたコネクタ２に装着される。コネクタ２は、図示の例では、ＵＳＢコネクタであり、機器１の側に設けられたプラグ受けに嵌合される嵌合部３と、把持部４と、ストレインリリーフ５とを有している。
【００１８】
コネクタ抜脱防止装置は、ケーブル６を係合壁部１２の掛止部１６に掛止し、係合壁部１２をコネクタ２のストレインリリーフ５の端面に当接した状態で、固定部１３を機器１の表面近傍の折り溝１７に沿って折り曲げ、機器１に貼着することによって装着される。これにより、このコネクタ抜脱防止装置は、コネクタ２の長手方向の寸法に合わせて機器１に固定され、かつ、係合壁部１２によってコネクタ２をその抜脱方向に移動しないよう規制された状態にすることができる。
【００１９】
なお、ストレインリリーフ５のないコネクタ２の場合は、係合壁部１２をケーブル６が出ている側のコネクタ２の端面に当接した状態で、固定部１３を機器１の表面近傍の折り溝１７に沿って折り曲げ、機器１に貼着することになる。また、固定部１３は、機器１への接着面が小さい場合には、必要に応じて切断することができ、その際、折り溝１７を切り取り線にすることができる。さらに、固定部１３は、蛇腹形状であるため、機器１側の接着面に突起部があっても、その外形に倣って屈曲させることで、機器１に固定することができる。
【００２０】
図３は第２の実施の形態に係るコネクタ抜脱防止装置の装着形態を示す斜視図である。なお、この図３において、図２に示した構成要素と同じまたは均等の構成要素については同じ符号を付してその詳細な説明は省略する。
【００２１】
この第２の実施の形態に係るコネクタ抜脱防止装置は、第１の実施の形態に係るコネクタ抜脱防止装置と構成は同じであるが、全体の幅方向の寸法を低減させ、係合壁部１２の基部１１からの長さをコネクタ２の広い方の幅と同じ長さにしてある。これにより、機器１側のＵＳＢコネクタが縦長の状態で設けられていて、その下方に固定部１３を貼付するスペースがある場合に、図示のように、コネクタ２を下から支持する形でコネクタ抜脱防止装置を装着することができる。
【００２２】
図４は第３の実施の形態に係るコネクタ抜脱防止装置を示す斜視図およびその側端面の形状を示す部分拡大図である。なお、この図４において、図１に示した構成要素と同じまたは均等の構成要素については同じ符号を付してその詳細な説明は省略する。
【００２３】
この第３の実施の形態に係るコネクタ抜脱防止装置は、第１の実施の形態に係るコネクタ抜脱防止装置から固定部１３における折り溝１７の形状を変更している。すなわち、この固定部１３は、断面長円形の棒を長軸方向に連結した構造を有し、その連結部分が折り溝１７を形成している。これにより、固定部１３は、複数の折り溝１７の一つを折り曲げることで長手方向の長さを任意の長さにすることができる。
【００２４】
図５は第４の実施の形態に係るコネクタ抜脱防止装置を示す斜視図およびその側端面の形状を示す部分拡大図である。なお、この図５において、図１に示した構成要素と同じまたは均等の構成要素については同じ符号を付してその詳細な説明は省略する。
【００２５】
この第４の実施の形態に係るコネクタ抜脱防止装置は、固定部１３における折り溝１７を係合壁部１２の形成側の面とその反対の側の面とで交互に形成した場合を示している。すなわち、このコネクタ抜脱防止装置は、固定部１３を波形の形状にすることによって両面に折り溝１７を形成している。これにより、固定部１３は、複数の折り溝１７の一つを折り曲げることで長手方向の長さを任意の長さにすることができる。
【００２６】
図６は第５の実施の形態に係るコネクタ抜脱防止装置を示す斜視図である。なお、この図６において、図１に示した構成要素と同じまたは均等の構成要素については同じ符号を付してその詳細な説明は省略する。
【００２７】
この第５の実施の形態に係るコネクタ抜脱防止装置は、第２の実施の形態に係るコネクタ抜脱防止装置のように、固定部１３の幅方向の寸法が低減することによって機器１への粘着力が低下するのを改善したものである。すなわち、このコネクタ抜脱防止装置によれば、固定部１３は、その長手方向に蛇行させた形状にすることで、幅方向の最大寸法を増加させている。ここで、固定部１３の両側部には、凹部１３ａおよび凸部１３ｂが長手方向に交互に形成されているが、その凹部１３ａおよび凸部１３ｂは、互いに相補形の外形を有している。これにより、複数のコネクタ抜脱防止装置を隣接して並設させても、それぞれのコネクタ抜脱防止装置は、互いに干渉することなく、より大きな幅寸法を確保することができる。
【００２８】
図７は第６の実施の形態に係るコネクタ抜脱防止装置を示す斜視図である。なお、この図７において、図１に示した構成要素と同じまたは均等の構成要素については同じ符号を付してその詳細な説明は省略する。
【００２９】
この第６の実施の形態に係るコネクタ抜脱防止装置は、固定部１３に長手方向に長軸を有する長孔１３ｃが穿設されている。この長孔１３ｃは、機器１の筐体にねじ孔がある場合には、ねじ止め用のねじ孔として使用することにより、機器１への固定をより強固にすることができる。この長孔１３ｃは、また、粘着材を注入する注入孔として利用することもできる。
【００３０】
図８は第７の実施の形態に係るコネクタ抜脱防止装置の装着形態を示す斜視図である。なお、この図８において、図２に示した構成要素と同じまたは均等の構成要素については同じ符号を付してその詳細な説明は省略する。
【００３１】
この第７の実施の形態に係るコネクタ抜脱防止装置は、複数のＵＳＢコネクタが抜脱しないよう機器１に固定されるようにしたものである。図示の例は、コネクタ抜脱防止装置を４つのプラグ受け側のコネクタが設けられた機器１に適用した場合を示している。もちろん、この実施の形態のコネクタ抜脱防止装置は、コネクタの数が４つに限定されるものではなく、２つ以上ならば幾つでも良い。
【００３２】
このコネクタ抜脱防止装置は、その基部１１、係合壁部１２および固定部１３の幅が４つのコネクタ２ａ，２ｂ，２ｃ，２ｄを機器１側の各コネクタに嵌合したときのこれらの幅よりも大きく形成されている。係合壁部１２には、その幅方向に４つの掛止部１６ａ，１６ｂ，１６ｃ，１６ｄが形成されている。これにより、１つのコネクタ抜脱防止装置を用いて４つのコネクタ２ａ，２ｂ，２ｃ，２ｄの抜脱を同時に防止することができるようになる。
【００３３】
図９は第８の実施の形態に係るコネクタ抜脱防止装置を示す斜視図、図１０は第８の実施の形態に係るコネクタ抜脱防止装置の装着形態を示す斜視図である。なお、この図９および図１０において、図１および図２に示した構成要素と同じまたは均等の構成要素については同じ符号を付してその詳細な説明は省略する。
【００３４】
第１ないし第７の実施の形態に係るコネクタ抜脱防止装置では、係合壁部１２の掛止部１６がケーブル６を引っ掛けて止めていたのに対し、この第８の実施の形態に係るコネクタ抜脱防止装置は、拘止部１９がコネクタ２を引っ掛けて止めるようにしている。
【００３５】
このコネクタ抜脱防止装置は、基部１１の両側端にこれより起立された拘止部１９が一体に形成されている。拘止部１９は、その先端部の対向面側に突起部１９ａが突設されている。拘止部１９は、可撓性を有していて、その間の空間に突起部１９ａを乗り越えてコネクタ２の把持部４が押し込まれると、把持部４は、内側に突出した拘止部１９の突起部１９ａに阻まれて拘束状態となる。
【００３６】
係合壁部１２の掛止部１６は、スリット１５の幅を開口部１４の直径に等しくしてある。これにより、拘止部１９の間の空間にコネクタ２の把持部４を押し込むときに、ケーブル６が掛止部１６のスリット１５を介して開口部１４にスムーズに導入されるようになる。このため、係合壁部１２は、ストレインリリーフ５に端面に当接され、主として、ケーブル６を引っ掛けた状態のままコネクタ２の把持部４が抜脱方向に移動するのを阻止する機能を有していることになる。
【００３７】
図１１は第８の実施の形態に係るコネクタ抜脱防止装置の別の装着形態を示す斜視図である。なお、この図１１において、図９に示した構成要素と同じまたは均等の構成要素については同じ符号を付してその詳細な説明は省略する。
【００３８】
このコネクタ抜脱防止装置の装着形態によれば、コネクタ実装板２０において、機器側のコネクタが実装されているコネクタ実装面の裏面に固定部１３を固定している。このように、コネクタ抜脱防止装置は、機器内蔵のコネクタにアクセスできるよう開口されている筐体の面に固定されるだけでなく、屈曲自在な固定部１３の特性を活かし、筐体の形状に合わせて比較的自由に装着することが可能である。したがって、固定部１３を貼着する場所を選ばないことから、このコネクタ抜脱防止装置は、種々の筐体形状を有する機器に汎用的に適用することができる。もちろん、固定部１３の折り曲げ位置も自由に選ぶことができるので、異なる寸法のコネクタに対して、寸法の違いを吸収できることから、このコネクタ抜脱防止装置は、各種形状および寸法のコネクタに汎用的に適用することができる。
【００３９】
なお、上述の実施の形態では、基部１１と、係合壁部１２と、固定部１３とを備えるコネクタ抜脱防止装置について説明したが、特に拘止部１９を備えていないコネクタ抜脱防止装置については、基部１１を固定部１３の一部として形成することもできる。つまり、固定部１３は、係合壁部１２の近傍まで延長されてその近傍まで折り溝１７が形成されることにより、折り曲げ可能範囲を拡大することができ、より小型のプラグへの適用が可能になる。
【符号の説明】
【００４０】
１  機器
２，２ａ，２ｂ，２ｃ，２ｄ  コネクタ
３  嵌合部
４  把持部
５  ストレインリリーフ
６  ケーブル
１１  基部
１２  係合壁部
１３  固定部
１３ａ  凹部
１３ｂ  凸部
１３ｃ  長孔
１４  開口部
１５  スリット
１６，１６ａ，１６ｂ，１６ｃ，１６ｄ  掛止部
１７  折り溝
１８  平面
１９  拘止部
１９ａ  突起部
２０  コネクタ実装板
【図１】
2012119068.tif 000003
【図２】
2012119068.tif 000004
【図３】
2012119068.tif 000005
【図４】
2012119068.tif 000006
【図５】
2012119068.tif 000007
【図６】
2012119068.tif 000008
【図７】
2012119068.tif 000009
【図８】
2012119068.tif 000010
【図９】
2012119068.tif 000011
【図１０】
2012119068.tif 000012
【図１１】
2012119068.tif 000013